(57)【要約】【課題】送信光線を使用する構造において、計測データの送信が確実かつ安定して行われ、かつ体重などの計測結果を状況に合わせて容易に視認することができるようにした体重計を提供する。【解決手段】筒体４における上筒体部４ａと下筒体部４ｂとを最長に伸ばした状態にすることにより、背の高いユーザであっても台座部２に載った状態で、測定結果を表示する表示部１１を視認しやすくする。また、表示／操作部３は上筒体部４ａに対して回動可能であるため、表示／操作部３を台座部２の上に載っているユーザとは反対側に向けるように回動させることができる。【選択図】図１
2009002924.tif 000002
【特許請求の範囲】
【請求項１】
少なくとも体重を計測する計測部を内蔵し、該計測部の計測データを送信する計測データ送信部が設けられた台座部と、前記計測データ送信部から送信された計測データを受けて計測結果を表示する表示部および各種設定ボタンが設けられた操作部とを具備する体重計において、
前記計測データ送信部として計測データを光線にて光学的に出射する発光素子を設け、前記表示部に前記発光素子からの光線を受光する受光素子を設け、前記発光素子と前記受光素子間の前記光線の光路を、光遮断材料から形成され、かつ伸縮可能な構造の筒体にて連結し、該筒体の上部に前記操作部を回動可能に設けたことを特徴とする体重計。
【請求項２】
前記筒体が複数の筒体部を摺動可能に連結した構成であることを特徴とする請求項１記載の体重計。
【請求項３】
前記筒体の上部を前記操作部に着脱可能に嵌着し、かつ前記筒体の下部を前記台座部に着脱可能に嵌着したことを特徴とする請求項１または２記載の体重計。
【請求項４】
前記計測部が体脂肪率を計測する機能を備えていること特徴とする請求項１記載の体重計。
【発明の詳細な説明】
【技術分野】
【０００１】  本発明は、計測部と表示部とが分離される構成の体重計に関し、特に、計測結果の表示を視認しやすくした体重計に関するものである。
【背景技術】
【０００２】  従来、種々の体重計が提案されている。家庭などにおいて用いられている一般的な体重計としては、台座に乗って体重を計測するようにしたものがある。このような体重計は、通常、台座の上面に体重である計測結果が表示されるようになっている。【０００３】  このような従来の体重計では、その計測結果を見るために、ユーザが体を前側に曲げて見る必要があった。しかしながら、身長の高い人あるいは肥満傾向の人にとっては、前に体を大きく曲げるようにすることは負担である。【０００４】  そこで、特許文献１〜３に記載されている体重計では、台座部分と表示部分とが分離できる構成にしたり、あるいは、台座部分から離れた位置で表示を行える構成にしたりすることにより、前記課題を解決してユーザへの利便性を図るようにしている。
【特許文献１】特開平１１−１２８１９７号公報
【特許文献２】特開２０００−２７９３８９号公報
【特許文献３】特開２００３−２８７０５７号公報
【発明の開示】
【発明が解決しようとする課題】
【０００５】  前記従来の体重計において、台座部分と表示部分とを分離構造にする場合には、台座部分の計測部にて電気的に計測した計測データを、ＬＥＤあるいはＬＣＤからなる表示部のデスプレイ部の駆動部に送出／送信する必要があり、そのため電気的接触電極，信号ケーブル、あるいは赤外線，微弱電波による無線通信器を備えている。【０００６】  しかしながら、計測部と表示部とを接触電極を介して電気的に連結させる構造では、分離する距離，状況が限定されてしまい、また、ケーブルで計測データを送信する構造は、一般家庭内では、ケーブル自体が邪魔になり、また、配線状態が見苦しいなどの問題がある。さらに、電波を用いた無線による送信構造では、電波ノイズ障害を発生するおそれがあり、多くの電子機器が家庭内に存在している今日の状況では採用し難い。【０００７】  そこで、赤外線などの光線にて計測データを送信する構成が、送信方法として望ましいといえるが、外光が計測データにノイズとして入ったり、送信光線がユーザの目に入ったりするなどの課題がある。
このように、台座部分と表示部分とを完全に分離する構造には問題がある。【０００８】  また、特許文献２に記載されているように、支柱にて台座部分と表示部分とを連結する構造もあるが、この構造では支柱が台座部分と表示部分とに固定され、よって、表示部の位置が固定されることになり、計測結果を見るために、ユーザの身長によっては表示部まで体を曲げて見たり、子供では背を伸ばすようにして表示部を見たりする必要があった。また、被測定者の測定結果を他者が見る必要がある場合には、当該他者は顔を表示部まで傾けるようにする必要があるという問題がある。【０００９】  そこで本発明は、前記従来の実際的な問題に鑑み、送信光線を使用する構造において、計測データの送信が確実かつ安定して行われ、かつ体重などの計測結果を状況に合わせて容易に視認することができるようにした体重計を提供することを目的としている。
【課題を解決するための手段】
【００１０】  前記課題に鑑み、本発明の体重計は、少なくとも体重を計測する計測部を内蔵し、該計測部の計測データを送信する計測データ送信部が設けられた台座部と、前記計測データ送信部から送信された計測データを受けて計測結果を表示する表示部および各種設定ボタンが設けられた操作部とを具備する体重計において、前記計測データ送信部として計測データを光線にて光学的に出射する発光素子を設け、前記表示部に前記発光素子からの光線を受光する受光素子を設け、前記発光素子と前記受光素子間の前記光線の光路を、光遮断材料から形成され、かつ伸縮可能な構造の筒体にて連結し、該筒体の上部に前記操作部を回動可能に設けたことを特徴とする。【００１１】  また、前記筒体が複数の筒体部を摺動可能に連結した構成であることを特徴とする。【００１２】  また、前記筒体の上部を前記操作部に着脱可能に嵌着し、かつ前記筒体の下部を前記台座部に着脱可能に嵌着したことを特徴とする。【００１３】  また、前記計測部が体脂肪率を計測する機能を備えていること特徴とする。
【発明の効果】
【００１４】  本発明によれば、計測データを光線にて光学的に表示部に送信する際、光線は光遮断材料から形成されている筒体内を光路としているため、外光による外乱やノイズが入ることを防止することができ、安定して確実な計測データの送信が行われる。【００１５】  しかも、筒体を伸縮自在な構造にしたため、表示部の位置をユーザの身長の高低に合わせたり、肥満傾向にあって前屈みができない人に適した位置に表示部を適宜移動させたりすることができる。【００１６】  さらに、筒体の上部にて表示部の位置を回動することができるため、被測定者と対面した状態で計測結果を見ることができるなど、各種状況に対応して実使用時の視認性を大幅に向上することができる。
【発明を実施するための最良の形態】
【００１７】  以下に、本発明の好適な実施の形態を図面に基づいて説明する。【００１８】  図１は本発明の好適な実施の形態である体重計の全体斜視図、図２は本体重計の断面図、図３は本体重計における表示部の要部（図２におけるａ部）を示す拡大断面図、図４は本体重計における測定部の要部（図２におけるｂ部）を示す拡大断面図、図５は本体重計の平面図である。【００１９】  本実施の形態の体重計１は、台座部２と表示／操作部３、および台座部２と表示／操作部３を連結する筒体４からなる。【００２０】  台座部２は、本例では体重計としてのロードセンサ５および体脂肪率を計測する電極６などからなる計測部７と、該計測部７による電気的な計測データを光電変換する処理部（図示せず）と、該処理部からの計測データを光線にて光学的に出射する計測情報送出部である発光素子８と、前記構成部材を保持する台座本体９から構成されている。【００２１】  表示／操作部３は、前記受光素子８からの光線を受光する受光素子１０と、受光素子１０にて受信した計測データを表示用駆動データに変換する処理部（図示せず）と、該処理部からのデータを受けて計測結果を表示するＬＥＤ，ＬＣＤなどからなる表示部１１と、各種設定ボタン１２と、前記各構成部材を保持する操作部本体１３とから構成されている。【００２２】  筒体４は、本例の場合、上下２つに分かれており、それぞれ光遮断材料である金属，プラスチックからなる上筒体部４ａと下筒体部４ｂとが、互いに上下摺動自在に嵌合し、かつ上筒体部４ａと下筒体部４ｂとの結合部分が締付筒１４にて強固に締め付けられて固定されている。【００２３】  上筒体部４ａの上部は、図３に示すように、操作部本体１３の下側に突設された受筒部１３ａに、周方向に回動可能かつ着脱可能に嵌着されている。また、下筒体部４ｂの下部は、図４に示すように、台座本体９の一側辺部に立設された受筒部９ａに、周方向に回動可能かつ着脱可能に嵌着されている。【００２４】  図３，図４に示すように、受光素子１０は、操作部本体１３の受筒部１３ａ部分に、台座本体９の受筒部９ａ部分に設けられた発光素子８に対向するように配設されている。【００２５】  次に、本実施の形態の体重計における測定および表示について説明する。
台座部２の上に被測定者であるユーザが載ったときに、計測部７によって、ユーザの体重と体脂肪率とを同時に、あるいは、いずれかを選択して計測する。これらの選択設定は、ユーザが表示／操作部３上の各種設定ボタン１２を操作することによって決定される。体重と体脂肪率の計測方法は、従来公知の技術であるため、その説明は省略する。【００２６】  計測部７によって計測された計測データは、処理部にて電気データから光学データに変換されて、このデータに基づいて発光素子８を駆動し、光学的変調を施した光線（赤外線など）を筒体４の内部上方へと出射する。光線は筒体４内を通って操作部本体１３の受光素子１０に入射する。【００２７】  受光素子１０では光学的変化を光電変換し、処理部にて前記計測データに対応する表示用駆動データに変換する。表示部１１において、表示用駆動データを受けて計測結果を表示する。【００２８】  前記光線の入射／出射において、その光路は光遮断部材からなる筒体４にて覆われているため、光線に干渉する外光の入射はなく、測定データを正確に送信することができる。【００２９】  次に、本実施の形態の体重計における表示／操作部と筒体との使用方法について説明する。【００３０】  図６に示す状態のように、筒体４における上筒体部４ａと下筒体部４ｂとを最長に伸ばした状態にしておけば、背の高いユーザにおいて、表示部１１を視認しやすくなる。【００３１】  また、表示／操作部３は、図３に示すように、操作部本体１３が上筒体部４ａに回動可能に設けられているため、表示／操作部３を台座部２の上に載っているユーザとは反対側に向けるように回動させることができる。このため、例えば病院，医院などにおいて、患者における測定結果を知りたい医者や看護者が、顔をわざわざ表示部に向けるように動く必要がなくなり、いわゆる対面式でのデータの視認，取得が行えることになる。【００３２】  また、図７に示す状態のように、筒体４における上筒体部４ａを下筒体部４ｂに対して縮めるようにして収納した状態にすれば、子供、あるいは背の低いユーザなどにおいて、表示部１１を視認しやすくなる。【００３３】  また、図８，図９に示すように、筒体４における上筒体部４ａと下筒体部４ｂとは、前記のように、それぞれ台座本体９と操作部本体１３とから着脱可能であるため、上筒体部４ａと下筒体部４ｂを取り外し、台座部２と表示／操作部３とを近接させるように設置することも可能である。【００３４】  なお、図９に示すように、台座部２と表示／操作部３と筒体４とを分解した状態にしておけば、製品パッケージが容易になり、輸送や移動が容易になる。
【産業上の利用可能性】
【００３５】  本発明は、体重計単体あるいは体脂肪計を備えた体重計など、各種機能を備えた体重計に適用され、表示部の視認性向上と誤計測防止とを両立できるデジタル表示式の体重計の構成として有用である。
【図面の簡単な説明】
【００３６】
【図１】本発明の好適な実施の形態である体重計の全体斜視図
【図２】本実施の形態である体重計の断面図
【図３】本実施の形態である体重計における表示部の要部を示す拡大断面図
【図４】本実施の形態である体重計における測定部の要部を示す拡大断面図
【図５】本実施の形態である本体重計の平面図
【図６】本実施の形態の体重計における使用方法についての説明図
【図７】本実施の形態の体重計における使用方法についての説明図
【図８】本実施の形態の体重計における使用方法についての説明図
【図９】本実施の形態の体重計における使用方法についての説明図
【符号の説明】
【００３７】１  体重計
２  台座部
３  表示／操作部
４  筒体
４ａ  上筒体部
４ｂ  下筒体部
５  ロードセンサ
６  電極
７  計測部
８  発光素子
９  台座本体
９ａ  台座本体の受筒部
１０  受光素子
１１  表示部
１２  設定ボタン
１３  操作部本体
１３ａ  操作部本体の受筒部
１４  締付筒
【図１】
2009002924.tif 000003
【図２】
2009002924.tif 000004
【図３】
2009002924.tif 000005
【図４】
2009002924.tif 000006
【図５】
2009002924.tif 000007
【図６】
2009002924.tif 000008
【図７】
2009002924.tif 000009
【図８】
2009002924.tif 000010
【図９】
2009002924.tif 000011